(57)【要約】【課題】  負けた遊技者に所定の条件に応じてサービスポイントを付与する遊技機向けサービスポイント付与装置を提供すること。【解決手段】表示演出コード受信手段が受信した表示演出コードが、表示演出コード判定手段によりボーナス予兆の表示演出を示す表示演出コードであると判定され、引き続き前記表示演出コード受信手段が受信した表示演出コードが、前記表示演出コード判定手段によりボーナス入賞以外の表示演出を示す表示演出コードであると判定された場合に、遊技機１の遊技者に所定のサービスポイントを付与するサービスポイント付与装置２０を提供する。【選択図】        図３
2007117470.tif 000002
【特許請求の範囲】
【請求項１】
遊技機の遊技者に対してサービスポイントを付与するサービスポイント付与装置であって、
前記遊技機のサブ基板からの表示演出コードを受信する表示演出コード受信手段と、受信した前記表示演出コードを判定する表示演出コード判定手段と、前記表示演出コード判定手段の判定に基づいて前記遊技機の遊技者にサービスポイントを付与するサービスポイント付与手段と、を設けてなり、
前記サービスポイント付与手段は、前記表示演出コード受信手段が受信した表示演出コードが、前記表示演出コード判定手段によりボーナス予兆の表示演出を示すと判定され、引き続き前記表示演出コード受信手段が受信した表示演出コードが、前記表示演出コード判定手段によりボーナス入賞以外の表示演出を示すと判定された場合に、前記遊技機の遊技者に所定のサービスポイントを付与するサービスポイント付与装置。
【請求項２】
前記所定のサービスポイントを付与する場合に、抽籤により前記所定のサービスポイントを決定するサービスポイント抽籤手段をさらに備える請求項１に記載のサービスポイント付与装置。
【請求項３】
前記表示演出コード判定手段は、レベルの異なる複数のボーナス予兆の表示演出を示す表示演出コードを判定し、前記サービスポイント付与手段は、前記表示演出コード判定手段が判定したボーナス予兆のレベルが高いほど多くのサービスポイントを付与する請求項１に記載のサービスポイント付与装置。
【請求項４】
前記サービスポイント付与手段が付与するサービスポイントを表示するサービスポイント表示部をさらに設けてなり、
前記サービスポイント表示部は、前記サービスポイント付与手段がサービスポイントを付与する場合に、当該サービスポイントを表示する請求項１から請求項３のいずれかに記載のサービスポイント付与装置。
【請求項５】
前記遊技者を特定するＩＤ情報を少なくとも記憶する遊技者情報記憶媒体の読み出し／書き込みを行う記憶媒体読み書き手段をさらに設けてなり、
前記記憶媒体読み書き手段は、前記遊技者による前記遊技者情報記憶媒体の挿入に応じて、前記ＩＤ情報を読み出す請求項１から請求項４のいずれかに記載のサービスポイント付与装置。
【発明の詳細な説明】
【技術分野】
【０００１】
本発明は、遊技機向けのサービスポイント付与装置に関する。より具体的には、遊技機の表示演出に基づいて当該遊技機の遊技者にサービスポイント付与を行うサービスポイント付与装置に関する。
【背景技術】
【０００２】
従来、遊技機向けポイントサービスを行う方法として、パチンコホールやパチスロホールなどの遊技場において、ＩＣカードのリーダ／ライタ装置を各々の遊技機に設置し、遊技者が当該ＩＣカードを当該リーダ／ライタ装置に挿入して遊技する方法が提案されている。
【０００３】
具体的な実施形態としては、当該ＩＣカードを遊技者毎に発行し、当該ＩＣカードを当該リーダ／ライタに挿入することによって本人を認証し、様々な所定の要件に応じてサービスポイントを付与し、当該ＩＣカードに記憶する。また、当該リーダ／ライタを、ホールコンピュータ等を介して通信ネットワークに接続することによって、当該リーダ／ライタは、当該獲得したサービスポイントデータを当該通信ネットワークに接続されたサーバに送信し、当該サーバが遊技場の枠を超えて各遊技者の獲得サービスポイントを一元管理することもできる。
【０００４】
更に、当該サーバが管理するサービスポイントデータを、携帯電話やＰＣ等の情報端末から通信ネットワークを介して随時照会し、景品等の送付注文を発信してもよい。
【０００５】
例えば、特許文献１には、このような遊技機向けポイントサービスを行う方法として、特別役（ＢＢやＲＢ）に入賞したときにサービスポイントを付与する方法が開示されている。
【特許文献１】特開２００５−１１８２７２号公報
【発明の開示】
【発明が解決しようとする課題】
【０００６】
しかしながら、特許文献１に記載された方法においては、実際に入賞した場合に更にサービスポイントを付与する一方で、ハズレの場合にはサービスポイントは付与されず、負けた遊技者に引き続き同じ遊技機で遊技をする気にさせる手段としては、効果が期待できるものではない。
【０００７】
特に、内部抽籤等によってボーナス予兆の演出表示（例えばパチンコ機におけるリーチ演出）を行う遊技機にあっては、このようなボーナス予兆が実際には入賞せずにハズレた場合には、遊技者は大きく落胆する可能性が高い。また、長いボーナス予兆の演出がハズレた場合や、また、確率テーブルの設定などの何らかの要因で連続してハズレた場合には、なお遊技者の落胆は大きくなる可能性があり、その結果このような遊技者が当該遊技機での遊技を止めてしまう誘因となることも考えられる。
【課題を解決するための手段】
【０００８】
そこで本発明は、負けた遊技者に所定の条件に応じてサービスポイントを付与する遊技機向けサービスポイント付与装置を提供することを目的とする。具体的には、以下のものを提供する。
【０００９】
（１）  遊技機の遊技者に対してサービスポイントを付与するサービスポイント付与装置であって、
前記遊技機のサブ基板からの表示演出コードを受信する表示演出コード受信手段と、受信した前記表示演出コードを判定する表示演出コード判定手段と、前記表示演出コード判定手段の判定に基づいて前記遊技機の遊技者にサービスポイントを付与するサービスポイント付与手段と、を設けてなり、
前記サービスポイント付与手段は、前記表示演出コード受信手段が受信した表示演出コードが、前記表示演出コード判定手段によりボーナス予兆の表示演出を示すと判定され、引き続き前記表示演出コード受信手段が受信した表示演出コードが、前記表示演出コード判定手段によりボーナス入賞以外の表示演出を示すと判定された場合に、前記遊技機の遊技者に所定のサービスポイントを付与するサービスポイント付与装置。
【００１０】
（１）の発明によれば、当該サービスポイント付与装置は、遊技機のサブ基板から受信した表示演出コードがボーナス予兆の表示演出を示すと判定し、引き続き受信した表示演出コードがボーナス入賞以外の表示演出を示すと判定した場合に、当該遊技機の遊技者に所定のサービスポイントを付与する。
【００１１】
このことにより、当該サービスポイント付与装置は、当該遊技機がボーナス予兆の表示演出を行った後、引き続きボーナス入賞以外の表示演出を行った場合（即ちハズレの場合）に当該遊技者に所定のサービスポイントを付与することができる。
【００１２】
その結果、当該遊技者は、当該遊技機の入賞の期待が外れた場合にも、当該所定のサービスポイントを獲得することによって、従来のように悔しがるばかりではなく、このような感情を抑制できる可能性がある。さらに、当該遊技者が引き続き同じ遊技機で遊技をする気にさせることができる可能性がある。
【００１３】
（２）  前記所定のサービスポイントを付与する場合に、抽籤により前記所定のサービスポイントを決定するサービスポイント抽籤手段をさらに備える（１）に記載のサービスポイント付与装置。
【００１４】
（２）の発明によれば、所定のサービスポイントを付与する場合に、抽籤により当該所定のサービスポイントが決定される。
【００１５】
このことにより、当該サービスポイント付与装置は、当該遊技者の予測とは異なるサービスポイントを付与する可能性がある。
【００１６】
その結果、当該遊技者は、当該遊技機の入賞の期待が外れた場合にも、当該サービスポイントの抽籤結果に期待感を持つ可能性がある。
【００１７】
（３）  前記表示演出コード判定手段は、レベルの異なる複数のボーナス予兆の表示演出を示す表示演出コードを判定し、前記サービスポイント付与手段は、前記表示演出コード判定手段が判定したボーナス予兆のレベルが高いほど多くのサービスポイントを付与する（１）に記載のサービスポイント付与装置。
【００１８】
（３）の発明によれば、当該サービスポイント付与装置は、レベルの異なる複数のボーナス予兆を示す表示演出コードを判定し、当該判定したボーナス予兆のレベルが高いほど多くのサービスポイントを当該遊技機の遊技者に付与することができる。
【００１９】
このことにより、当該サービスポイント付与装置は、よりレベルの高いボーナス予兆が外れた場合に、より多くのサービスポイントを当該遊技機の遊技者に付与することができる。
【００２０】
その結果、当該遊技者は、当該遊技機においてより大きな入賞期待が外れた場合に、より多くのサービスポイントを獲得することができる。従って、当該遊技者は、落胆の度合いに応じて適当なレベルの救済を受けることができ、引き続き同じ遊技機で遊技を継続する気になる可能性がある。
【００２１】
（４）  前記サービスポイント付与手段が付与するサービスポイントを表示するサービスポイント表示部をさらに設けてなり、
前記サービスポイント表示部は、前記サービスポイント付与手段がサービスポイントを付与する場合に、当該サービスポイントを表示する（１）から（３）のいずれかに記載のサービスポイント付与装置。
【００２２】
（４）の発明によれば、当該サービスポイント付与装置は、当該遊技機の遊技者にサービスポイントを付与する場合に、当該サービスポイントを当該遊技者に表示することができる。
【００２３】
このことにより、当該サービスポイント付与装置は、当該遊技機の遊技者にサービスポイントを付与する場合に、付与するサービスポイントを報知することができる。
【００２４】
その結果、当該遊技者は、入賞期待が外れた場合に、当該表示部を注視することによって付与されるサービスポイントを確認することができる。従って、当該遊技者は、入賞期待が外れて落胆した直後に、期待感を持って獲得サービスポイントを確認する可能性がある。このように、遊技者は、落胆した気持ちを長引かせることなく、引き続き同じ遊技機で遊技をする気になる可能性がある。
【００２５】
（５）  前記遊技者を特定するＩＤ情報を少なくとも記憶する遊技者情報記憶媒体の読み出し／書き込みを行う記憶媒体読み書き手段をさらに設けてなり、
前記記憶媒体読み書き手段は、前記遊技者による前記遊技者情報記憶媒体の挿入に応じて、前記ＩＤ情報を読み出す（１）から（４）のいずれかに記載のサービスポイント付与装置。
【００２６】
（５）の発明によれば、当該サービスポイント付与装置は、当該遊技者による遊技者情報記憶媒体の挿入に応じて当該遊技者のＩＤ情報を読み出す。
【００２７】
このことにより、当該サービスポイント付与装置は、当該遊技者のＩＤ情報によって、サービスポイントを付与する遊技者を特定することができる。
【発明の効果】
【００２８】
本発明によれば、負けた遊技者に所定の条件に応じてサービスポイントを付与することによって、当該遊技者の期待感を維持し、引き続き同じ遊技機で遊技をする気にさせる可能性がある。
【発明を実施するための最良の形態】
【００２９】
以下、本発明の好適な実施形態の一例について、図面に基づいて説明する。
［遊技機の全体構成］
【００３０】
図１は、本発明の好適な実施形態の一例に係るサービスポイント付与装置２０を含む遊技機１を示す斜視図である。遊技機１の本体前面に、サービスポイント付与装置２０の表示部２３０、リーダ／ライタ２５０を備えている。
［サービスポイント付与装置を含むシステムの全体構成］
【００３１】
図２は、本発明の好適な実施形態の一例に係るサービスポイント付与装置２０を含むシステムの全体構成を表すブロック図である。遊技機１のメイン基板４０は、出玉率やボーナス抽籤等の遊技全体の制御を行い、サブ基板３０は、メイン基板４０からのボーナス抽籤等のデータに基づいてボーナス予兆演出等の表示演出を行う。サービスポイント付与装置２０は、遊技機１のサブ基板３０からのデータを受け付ける。
【００３２】
図３は、本発明の好適な実施形態の別の一例に係るサービスポイント付与装置２０を実現するサービスポイント付与装置２０およびサブ基板３０の構成を表すブロック図である。サブ基板３０は、少なくともサブ基板制御部３１０、サブ基板通信制御部３２０、サブ基板表示部３３０によって構成されている。また、サービスポイント付与装置２０は、制御部２１０、表示部２３０（サービスポイント表示部）、記憶部２４０、リーダ／ライタ２５０（記憶媒体読み書き手段）により構成されている。さらに、サブ基板３０とサービスポイント付与装置２０は、それぞれサブ基板通信制御部３２０と通信制御部２２０とを介して接続されている。
【００３３】
制御部２１０及びサブ基板制御部３１０は、情報の処理、演算を行う演算処理装置であり、ＣＰＵ（Ｃｅｎｔｒａｌ  Ｐｒｏｃｅｓｓｉｎｇ  Ｕｎｉｔ）であってよい。また、制御部２１０及びサブ基板制御部３１０は、それぞれサービスポイント付与装置２０及びサブ基板３０全体の制御を行い、記憶部２４０及びサブ基板記憶部３４０に記憶された各種プログラムを適宜読み出して実行することにより、上述のハードウエアが協働し、本発明に係る各種手段を実現している。
【００３４】
通信制御部２２０、サブ基板通信制御部３２０は、内部バス、モデム、ケーブル・モデムおよびイーサネット（登録商標）・アダプタを含んでよい。
【００３５】
ここで、表示部２３０は、サービスポイントを表示するものであり、ブラウン管表示装置（ＣＲＴ）、液晶表示装置（ＬＣＤ）等のディスプレイ装置を含んでよい。
【００３６】
記憶部２４０及びサブ基板記憶部３４０は、それぞれ制御部２１０及びサブ基板制御部３１０と組み合わせてプログラムの実行に使用するローカルメモリ、大容量のバルクメモリ、および当該バルクメモリの検索を効率的に行うために使用するキャッシュメモリを含んでよい。記憶部２４０及びサブ基板記憶部３４０を実現する記憶媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００３７】
リーダ／ライタ２５０は、いわゆるＩＣカードのリーダ／ライタ、磁気カードのリーダ／ライタ、半導体メモリのリーダ／ライタ等、遊技者のＩＤやサービスポイントの情報等のデータを記憶、編集可能な媒体の読み書きが可能なものであればいずれで構成してもよい。
【００３８】
図４は、本発明の好適な実施形態の一例に係るサービスポイント付与メイン処理を示すフローチャートである。まず、制御部２１０は、リーダ／ライタにＩＤカードが挿入されたか否かを判断する（ステップＳ１１）。
【００３９】
次に、制御部２１０は、遊技者が認証されたか否かを判断する（ステップＳ１２）。具体的には、制御部には、リーダ／ライタがＩＤカードから読み出したＩＤを受信し、あらかじめ記憶部２４０に記憶された遊技者認証テーブル（図５）を参照してＩＤを比較する。読み出した当該ＩＤが遊技者認証テーブルに記憶されていた場合には認証ＯＫとし、そうでない場合は認証ＮＧとする。認証された場合には、制御部２１０は、処理をステップＳ１３に移す。また、認証されなかった場合には、制御部２１０は、処理をステップＳ１１に戻し、再びＩＤカードの挿入を待機する。
【００４０】
図５は、本発明の好適な実施形態の一例に係るサービスポイント付与装置２０において管理される、遊技者認証テーブルである。例えば、ＩＤが「０００１」のとき、遊技者名は「スロット太郎」、サービスポイントは「１００」であることがわかる。ＩＤが「０００２」のとき、遊技者名は「パチスロ一郎」、サービスポイントは「５６２」であることがわかる。
【００４１】
次に、制御部２１０は、表示部２３０に現在のサービスポイントを表示する（ステップＳ１３）。
【００４２】
次に、制御部２１０は、ボーナス予兆の表示演出を示す表示演出コードを受信したか否かを判定する（ステップＳ１４）。より具体的には、サブ基板３０がサブ基板通信制御部３２０を介して送信する表示演出コードを、制御部２１０は、通信制御部２２０を介して受信する（表示演出コード受信手段）。そして、制御部２１０は、受信した当該表示演出コードの示す表示演出を判定する（表示演出コード判定手段）。
【００４３】
ここで、制御部２１０が、ボーナス予兆の表示演出を示す表示演出コードを受信したと判定した場合には、処理をステップＳ１５に移す。また、そうではないと判定した場合には、再びボーナス予兆を示す表示演出コードの受信を待機する。
【００４４】
次に、制御部２１０は、ボーナス入賞以外の表示演出を示す表示演出コードを受信したか否かを判定する（ステップＳ１５）。より具体的には、ステップＳ１４と同様に、サブ基板３０がサブ基板通信制御部３２０を介して送信する表示演出コードを、制御部２１０は、通信制御部２２０を介して受信する（表示演出コード受信手段）。そして、制御部２１０は、受信した当該表示演出コードの示す表示演出を判定する（表示演出コード判定手段）。
【００４５】
ここで、制御部２１０がボーナス入賞以外の表示演出を示す表示演出コードを受信したと判定した場合（即ちボーナス予兆がハズレであった場合）には、処理をステップＳ１６に移し、サービスポイント付与処理を行う（サービスポイント付与手段）。また、制御部２１０が、ボーナス入賞の表示演出を示す表示演出コードを受信したと判定した場合（即ちボーナス予兆がアタリであった場合）には、処理をステップＳ１４に戻し、再びボーナス予兆の表示演出を示す表示演出コードの受信を待機する。
【００４６】
次に、制御部２１０は、サービスポイント付与処理を行う（ステップＳ１６）。このサービスポイント付与処理の詳細については後述する。
【００４７】
次に、制御部２１０は、リーダ／ライタからＩＤカードが引き抜かれたか否かを判断する（ステップＳ１７）。ＩＤカードが引き抜かれたと判断した場合には、制御部２１０は処理を終了する。また、そうではない場合には、処理をステップＳ１４に戻して再びボーナス予兆を示す表示演出コードの受信を待機する。
【００４８】
図６は、本発明の好適な実施形態の一例に係るサービスポイント付与処理を示すフローチャートである。まず、制御部２１０は、サービスポイント決定処理を行う（ステップＳ１６１）。このサービスポイント決定処理の詳細については後述する。本実施例においては、抽籤によりサービスポイントを決定する場合（サービスポイント決定処理Ａ）と、ボーナス予兆レベルによりサービスポイントを決定する場合（サービスポイント決定処理Ｂ）と、を設定により変更可能としている。
【００４９】
次に、制御部２１０は、表示部２３０に決定したサービスポイントを表示する（ステップＳ１６２）。
【００５０】
図７は、本発明の好適な実施形態の一例に係るサービスポイント決定処理Ａを示すフローチャートである。制御部２１０は、抽籤によりサービスポイントを決定する（サービスポイント抽籤手段）（ステップＳ１６５）。
【００５１】
図８は、本発明の好適な実施形態の一例に係るサービスポイント決定処理Ｂを示すフローチャートである。制御部２１０は、ボーナス予兆のレベルに基づいて、サービスポイント決定テーブル（図９）からサービスポイントを読み出してサービスポイントを決定する（ステップＳ１６６）。
【００５２】
図９は、本発明の好適な実施形態の一例に係るサービスポイント付与装置２０において管理される、サービスポイント決定テーブルである。例えば、ボーナス予兆レベルが「ＢＢ」のとき、付与するサービスポイントは「５」と定義されている。また、ボーナス予兆レベルが「ＲＢ」のとき、付与するサービスポイントは「３」と定義されている。このように、上述のステップＳ１６６におけるサービスポイント決定の際に、制御部２１０は当該サービスポイント決定テーブルを参照して付与するサービスポイントを決定する。
【００５３】
なお、上述の実施例においては、本発明に係るサービスポイント付与装置２０は、遊技機内に内蔵される構成としているが、これに限らず、別筐体の周辺機器として当該遊技機１に接続してもよい。
【００５４】
また、本発明に係るサービスポイント付与装置２０は、ホールコンピュータや、その他の通信ターミナルを介して、インターネット等の通信ネットワークに接続され、さらに当該通信ネットワークに接続されたサーバコンピュータと通信可能に構成してもよい。
【００５５】
その場合には、遊技者認証テーブル（図５）の情報は当該サーバコンピュータに蓄積管理され、上述のステップＳ１３において参照される際に当該通信ネットワークを介して参照される。遊技者は、携帯電話やＰＣ等の情報端末から、当該通信ネットワークを介してサービスポイントの照会やプレゼント交換等の指示を行うことができる。
【００５６】
以上、本発明の実施形態について説明したが、本発明は上述した実施形態に限るものではない。本発明の技術的思想を逸脱しない範囲で、上述した実施形態以外の様々な実施形態が本発明の技術的範囲に含まれる。
【図面の簡単な説明】
【００５７】
【図１】本発明の好適な実施形態の一例に係るサービスポイント付与装置を含む遊技機を示す斜視図である。
【図２】本発明の好適な実施形態の一例に係るサービスポイント付与装置を実現するシステムの全体構成を表すブロック図である。
【図３】本発明の好適な実施形態の別の一例に係るサービスポイント付与装置を実現するサービスポイント付与装置およびサブ基板の構成を表すブロック図である。
【図４】本発明の好適な実施形態の一例に係るサービスポイント付与メイン処理を示すフローチャートである。
【図５】本発明の本発明の好適な実施形態の一例に係るサービスポイント付与装置において管理される、遊技者認証テーブルを示す図である。
【図６】本発明の好適な実施形態の一例に係るサービスポイント付与処理を示すフローチャートである。
【図７】本発明の好適な実施形態の一例に係るサービスポイント決定処理Ａを示すフローチャートである。
【図８】本発明の好適な実施形態の一例に係るサービスポイント決定処理Ｂを示すフローチャートである。
【図９】本発明の好適な実施形態の一例に係るサービスポイント付与装置において管理される、サービスポイント決定テーブルを示す図である。
【符号の説明】
【００５８】
１      遊技機
２      前面ドア
３Ｌ，３Ｃ，３Ｒ    リール
６      スタートレバー
７Ｌ，７Ｃ，７Ｒ    停止ボタン
２０    サービスポイント付与装置
３０    サブ基板
４０    メイン基板
２１０    制御部
２２０    通信制御部
２３０    表示部
２４０    記憶部
２５０    リーダ／ライタ
３１０    サブ基板制御部
３２０    サブ基板通信制御部
３３０    サブ基板表示部
３４０    サブ基板記憶部
【図１】
2007117470.tif 000003
【図２】
2007117470.tif 000004
【図３】
2007117470.tif 000005
【図４】
2007117470.tif 000006
【図５】
2007117470.tif 000007
【図６】
2007117470.tif 000008
【図７】
2007117470.tif 000009
【図８】
2007117470.tif 000010
【図９】
2007117470.tif 000011